(57)【要約】【課題】  可視光線、紫外線を含めて太陽の強い放射熱を遮断する。【解決手段】晴雨兼用傘に合成樹脂多層フィルムシートのカバー２を有している。合成樹脂多層フィルムシートは、少なくとも明色のシート１１と、暗色のシート１２との積層を有するものである。明色のシート１１は、カバー２の上面側を形成する光反射性のシートであり、傘に上方から照射された太陽光をシート面で反射する。また、暗色のシート１２はカバー２の下面側の面を形成する光吸収性シートであり、明色のシート１１を通過した光や太陽光が地面で反射して傘のカバー２の裏面に入射した光を吸収する。【選択図】  図１
2011056072.tif 000002
【特許請求の範囲】
【請求項１】
合成樹脂多層フィルムシートの傘のカバーを有する晴雨兼用傘であって、
合成樹脂多層フィルムシートは、少なくとも明色のシートと、暗色のシートとの積層を有するものであり、
明色のシートは、カバーの上面側、暗色のシートはカバーの下面側の面を形成し、
明色のシートは、傘に上方から照射された太陽光をシート面で反射する光反射性のシートであり、
暗色のシートは、明色のシートを通過した光や太陽光が地面で反射して傘のカバーの裏面に入射した光を吸収する光吸収性シートであることを特徴とする晴雨兼用傘。
【請求項２】
傘のカバーは、２層に積層された不透明の合成樹脂多層フィルムシートであり、
カバーの上面となる第１層には明色のシート、傘の下面となる第２層には暗色のシートが選択されているものであることを特徴とする請求項１に記載の晴雨兼用傘。
【請求項３】
傘のカバーは、３層の合成樹脂多層フィルムシートであり、傘の上面となる第１層に明色のシート、第３層に暗色のシートが選択され、中間の第２層には、明色、暗色の区別無く任意の色彩に着色された着色シートが選択されたものであることを特徴とする請求項２に記載の晴雨兼用傘。
【請求項４】
第１層の明色のシートは、半透明であり、中間の第２層の着色シートの色彩を淡色に変化させて透視させるものであることを特徴とする請求項３に記載の晴雨兼用傘。
【請求項５】
明色のシートは、白色顔料が添加された白色ポリエチレン樹脂によって形成され、暗色のシートは、黒色顔料としてノンカーボン顔料が添加された黒色ポリエチレン樹脂によって形成されているものであることを特徴とする請求項１、２又は３のいずれか１に記載された晴雨兼用傘。
【請求項６】
傘のカバーは、３層の合成樹脂多層フィルムシートであり、
２層目のシートは、１層目のシートを通過した光を反射するとともに、３層目の暗色のシートの色を表面に浮き出さないように第３層の暗色のシートの色を遮蔽するものであることを特徴とする請求項４に記載の晴雨兼用傘。
【請求項７】
傘のカバーの上面を形成する第１層の明色のシートのシート面には、印刷による文字、図形又は模様を有することを特徴とする請求項１に記載の晴雨兼用傘。
【発明の詳細な説明】
【技術分野】
【０００１】
本発明は、日傘と雨傘の両方の機能を備えた傘、いわゆる晴雨兼用傘に関する。
【背景技術】
【０００２】
傘は、雨傘・日傘、和傘・洋傘の区別なく、一般的に全体を支える軸、全体を覆うカバー、カバーを支える骨によって構成される。現在では大まかに避ける対象によって、雨傘と日傘とに大別される。
【０００３】
雨傘は、雨や雪が降っている時に体や持ち物を濡らさないために使用され、日傘は、強い日差しを避けるために使用される。日傘はその用途上、防水機能よりも紫外線反射機能や装飾性が求められる。日傘の普及に伴い、特に雨天でも使用可能を謳って商品化された日傘が晴雨兼用傘である。
【０００４】
ところで、縫った傘の生地をカバーという。日傘のカバーは天然素材の綿、麻、絹などが涼しくて、化繊のポリエステルは暑いのではないか？という印象をうけるが、涼しさと素材の種類とは直接関係がなく、問題は可視光線と紫外線とをカットできればよいとされている。たしかにポリエステルは印象として暑苦しいが、ポリエステルだから暑いのではなく、可視光線と紫外線を遮断できなければ暑い、つまり、生地が薄ければ暑いのである。
【０００５】
また、蓄熱の問題についても、傘の中に熱がこもって暑くなるようなことはないのであって、それより、日傘としては、前述のように、体に当たる可視光線と紫外線を如何に遮断するかが問題である。
【０００６】
最近では、紫外線遮蔽日傘といえばカバーに黒色の生地を用いた傘が主流になっている。確かに黒の日傘は紫外線ばかりでなく可視光線も吸収できる。とはいえ、紫外線を吸収するということは色褪せさせることでもある。従って黒の傘は、他の色の傘にくらべて傘の生地が色焼けするのはそのためであり、特に綿、麻などの天然素材は色焼けは激しい。日傘、特に色の濃い傘には、日焼けの線がついているのを見かけるが、これは紫外線を吸収して日焼けするからである。
【０００７】
一方、晴雨兼用傘に用いられるカバーは、普通の日傘の生地よりも布の目が細かく、水を通さないようになっているが、晴雨兼用傘は、日傘と雨傘の両方の機能を備えた傘というよりも、とっさの降雨の際に使用できる日傘と認識されている。
【０００８】
カバーにビニールシートを使用したいわゆるビニール傘は、軸や骨も必要最小限の強度を満たすだけの素材と構造になっており、価格も数百円で販売されていることからもわかるように、多くは使い捨て目的として使用されている例が多い。
【０００９】
透明なビニールをカバーに使用することによって、前方に傾けても視界が遮られないという特長があるが、透明であるために日傘としては使えない。ビニール傘は専ら雨傘として使用されるほか、ＴＶの屋外中継や、イベント、野球の応援用などに活用される例もある。
【００１０】
なお、高級なビニールシートに細かい加工を施した高級ビニール傘がある。合成樹脂シートを傘のカバーに使用したときに、蓄熱性の問題はないとしても、日傘として使用するには、カバー材料としての遮光性、遮熱性が要求される。通常ビニール傘と称される傘シートの大部分はポリエチレンシートが使用されているが、いずれにしても合成樹脂シートを日傘のカバーとして使用するには、前述のように、体に当たる可視光線や紫外線を含む太陽光の放射熱を如何に遮断するかの問題を解決しなければならない。
【先行技術文献】
【特許文献】
【００１１】
【特許文献１】特許公開平７−３１３２２８
【特許文献２】実用新案登録第３０７２８９７
【特許文献３】特許公開２００７−１０７９
【非特許文献】
【００１２】
【非特許文献１】（株）サンバリア１００  ホームページ（http://www.uv100.jp/knowledge2-1.html）
【発明の概要】
【発明が解決しようとする課題】
【００１３】
解決しようとする問題点は、合成樹脂シートを晴雨兼用傘、とりわけ晴天時に使用する日傘のカバーとして用いる場合に遮光性、遮熱性、特に太陽熱の遮断の問題を解決しなければならないという点である。
【課題を解決するための手段】
【００１４】
上記課題を解決するために、本発明は、カバーとして明色と暗色との組合せによる合成樹脂多層フィルムシートを用い、遮光性、遮熱性、特に太陽の強い放射熱を遮断させる点を最大の特徴とする。
【発明の効果】
【００１５】
本発明による晴雨兼用傘のカバーは、明色の合成樹脂と暗色の合成樹脂との合成樹脂多層フィルムシートからなり、明色の合成樹脂シートを上面に、暗色の合成樹脂シートを下面に用いるため、カバーの上面に照射した太陽光の大部分を反射させることができ、たとえ、一部の光が、明色のシートを透過しても、下層黒色シートに吸収されて遮光することができる。
【００１６】
また、太陽光が地上に照射した光は地上で反射するが、地上からの反射光の大部分は、カバーの下面の暗色のシート面に吸収されて人体への再反射を防ぐことができる。さらに、カバーの上面側に用いた明色のシートの面に任意に文字、図形、模様など印刷してバリエーションを楽しむことができる。
【図面の簡単な説明】
【００１７】
【図１】（ａ）は本発明による晴雨兼用傘の１実施例を示す側面図、（ｂ）は本発明による晴雨兼用傘を下方より見た図である。
【図２】傘のカバーに２層の合成樹脂多層フィルムシートを用いた例を示すもので、（ａ）は一部側面図、（ｂ）はカバーの一部の一部断面斜視図である。
【図３】傘のカバーに３層の合成樹脂多層フィルムシートを用いた例を示すもので、（ａ）は一部側面図、（ｂ）はカバーの一部の一部断面斜視図である。
【図４】傘のカバーに３層の合成樹脂多層フィルムシートを用いた場合に第１層の半透明のシート面を通して第２層のシートの色彩、模様を現出させる例を示す一部断面斜視図である。
【発明を実施するための形態】
【００１８】
本発明は、可視光線、紫外線を含めて太陽の強い放射熱を遮断するという目的を、カバーに明色と暗色との組合せによる合成樹脂多層フィルムシートを用いることによって実現した。
【実施例１】
【００１９】
以下に本発明による晴雨兼用傘の実施例を説明する。本発明による傘の構造に関しては、従来の傘と全く同じである。すなわち、図１（ａ）、（ｂ）において、本発明による傘１は、カバー２、中棒３、親骨４、受骨５、上ハジキ６、下ハジキ７、露先８などから構成されている。カバー２は二等辺三角形のシートを繋ぎ合わせ、各シートの継ぎ目部分は親骨４によって支えられるが、カバー２のシートは、正確には二等辺三角形ではなく、微妙に膨らませるように形状が設定されている。通常、このふくらみがカーブを作るうえで重要であるとされている。
【００２０】
中棒３は、傘の心棒であり、親骨４は、中棒３を中心として放射状に取付けられ、それぞれ受骨５によって支えられている。中棒３にはスチール、アルミ、木、カーボンが用いられ、その下端には手元９と称するハンドルが取付けられる。中棒３は、またカバー２の上方に突出して石突１０が取付けられ、カバーの端縁から外周方向に突出する親骨４の先端には露先８が取付けられるが、これらの構成部分は本願発明とは直接関係がないので詳細な説明は省略する。
【００２１】
いずれにしても本発明の傘は、日傘又は雨傘として必要な構造は全て備えているということである。本発明において、カバー２は、二等辺三角形に裁断された合成樹脂多層フィルムシート（以下単に多層シートという）を縫製または接着したものであるが、前述のように正確には二等辺三角形ではなく、微妙に膨らませた形状に加工されているのは言うまでもない。
【００２２】
本発明において、カバー２は、少なくとも白に代表される明色のシート１１と、黒に代表される暗色のシートとの２層又はそれ以上の積層を有する多層シートである。図１に示すようにカバー２として暗色のシート１２の面を傘のカバー２の下面側に、明色のシート１１面を傘の上面側に用いる。
【００２３】
いずれの例においても、多層シートを傘の親骨にカバーとして取付けたときには、上面が明色（白色）、下面が暗色（黒色）となる。明色のシート１１は、白色のほか黄色、薄みどりなどの明度の高い色のシートであり、太陽光との関係では光反射性のシートである。一方暗色のシート１２は、黒色に限らず、灰色、茶色、濃紺など、明度の低い色のシートの意味であるが、太陽光との関係では光吸収性のシートである。暗色のシートには合成樹脂の再生原料を利用できる。
【００２４】
カバーに用いる合成樹脂材料には、傘のカバーに好適とされているポリエチレン樹脂が望ましいが、これに限らず、ポリプロピレン、ポリブテン（ＰＢ）、各種の合成樹脂材料が使用できるほかポリオレフィン系の合成樹脂、エチレンビニルアルコール、エチレンエチルアクリレート共重合体、エチレンアクリル酸コポリマー、アイオノマー、エチレンメタクリル酸共重合体、環状オレフィンコポリマー等の樹脂を使用できる。
【００２５】
本発明において、白色シートはポリエチレン樹脂に白色顔料として例えばチタンホワイトを添加することによって得られるが、黒色シートの顔料には、アセチレンブラック、ランブラック、アニリンブラックなどのノンカーボン系顔料を用いる。通常用いられるカーボンブラックやチタン系顔料は、落雷などの際に感電の危険があるので好ましくない。
【００２６】
カバー２の多層シートに２層のシートを使用した場合には、図２に示すようにカバー２の上面となる第１層（外層）に不透明の明色のシート（光反射性シート）１１、下面となる第２層（内層）には暗色のシート（光吸収性シート）１２が選択される。明色のシート１１は、傘に上方から照射された太陽光をシート面で反射する光反射性のシートであり、暗色のシート１２は、明色のシート１１を通過した光や太陽光が地面で反射して傘のカバーの裏面に入射した光を吸収する光吸収性シートである。
【００２７】
カバー２の多層シートに３層のシートを用いる場合に、図３に示すように、外層となる第１層に明色のシート（光反射性のシート）１１、内層となる第３層に暗色のシート（光吸収性シート）１２を用いるが、中間層となる第２層には、明色、暗色の区別無く任意の色彩で白色を含む着色シート１３を用いることができる。２層又は３層のシートは、共押出しシートとして得られる。
【００２８】
図３の例では、傘に上方から照射された太陽光は、第１層（外層）の明色のシート１１のシート面で反射し、第１層を通過した光は、第２層（中間層）の着色シート１３面に反射または層中に吸収され、第２層を通過した光は、第３層（内層）の暗色のシート１２に吸収される。また太陽光が地面で反射して傘のカバー２の裏面に入射した光は、３層目の暗色のシート１２に吸収され、カバー２の裏面から人体への再反射が防止される。
【００２９】
本発明において、傘のカバーとして太陽光の光反射性性能と、光吸収性能とが得られれば、必ずしもカバーに３層のシートを用いる必要がなく、明色のシートと暗色のシートとの２層のシートで太陽光の遮光機能は得られる。しかしながら、３層のシートを用いることによって、２層のシートでは得られない色調、模様の変化性を表現することが可能となる。
【００３０】
例えば、図４において、１層目に厚みの薄い半透明の白色シート１１ａ、２層目に色の濃い赤、黄、青、緑、オレンジ色など任意の色に着色された有色シート１３ａ、３層目に遮光性確保のための厚みのある黒色シート１２ａの３層のシートを組み合わせた多層シートを使用すれば、１層目の半透明の白色シート１１ａのシート面を透過した２層目のシートの色彩や模様が淡色として表現され、２層目の有色シート１３ａは、３層目の暗色のシート１２ａの色を表面に浮き出さないように遮蔽するため、色の組合せによっては、傘のカバーの色に深みを現出させることができる。もっとも本発明によれば必ずしも最大３層に限られるものではなく、３層以上であってもよい。
【００３１】
以下に本発明の実作例を示す。
第１層（外層）、第２層（中間層）、第３層（内層）とにそれぞれ以下に示す割合で顔料を添加した合成樹脂材料を用いて傘のカバーを製造した。
（１）第１層（外層）
ＬＬＤベースポリエチレン                    ９０％
チタンホワイト                              １０％
（又は明色、あるいは金、銀などの顔料）  
（２）第２層（中間層）
ＬＬＤベースポリエチレン                  ７５％
チタンホワイト                            ２５％
（又は明色顔料）
（３）第３層（内層）
ＬＬＤベースポリエチレン                  ８０％
アニリンブラック（ノンカーボン）          ２０％
上記材料を多層式インフレーション法により厚さ６０μｍ〜１００μｍの３層のシートに加工した。得られた３層のシートを傘のカバーに使用したところ、べた印刷の必要のない鮮やかな白色で、伸びの強度があり裂けにくく、しかも手触りがよく、すぐれた風合いが得られた。
【００３２】
なお、第１層（外層）に用いる顔料は、チタンホワイト、チタンイエローを基本とするが、アゾ系顔料、多環式系顔料、アルミ系金銀顔料、キナクリドン系顔料、コバルトブルー、ウルトラマリンブルーなどを使用できる。環境を考慮すればノンハロゲンタイプの顔料も使用できる。顔料の選定により、企業のイメージカラーの表現が可能であり、また金、銀色の顔料を使用して高級感を出すことができる。さらに、明色の顔料を使用し、第２層（中間層）の色との組合せの選定によって複雑な色合いを楽しむことができる。
【００３３】
第２層（中間層）に用いる顔料は、チタンホワイトを基本とするが、明色の顔料を使用して第１層（外層）の色との兼ね合いで太陽光による色の変化を楽しむことができる。
【００３４】
第３層（内層）に使用する顔料はアニリンブラックを基本とするが、群青系ブルー弁柄系、ブラウン色の顔料が使用可能である。耐熱性、対候性を得るにはアンスラキノン系顔料を使用する。
【００３５】
本発明による日傘のカバーには合成樹脂多層フィルムシートを用いるため、防水性、撥水性を有し、降雨時においては、雨水が生地の隙間から漏れてくるようなことが無く雨傘として十分な効果が得られるのは勿論のこと、日差しの強い日中に、強力な太陽光をうけても、カバーの上面で太陽の可視光線、紫外線を反射し、地上などから反射した光はカバーの下面に吸収され、有害な紫外線の人体への再反射を防止して日焼けを阻止することができる。
【００３６】
さらに、本発明によれば、傘のカバー上面に明色（白色）シートを用いるため、シート面には鮮明な印刷が可能であり、会社名、ロゴ、その他各種宣伝、広告の文字、図形、模様などを印刷することによって、観光旅館、リゾートホテルなどの置き傘、ゴルフ、モータースポーツ、野外音楽祭、特に野外イベント時のオフィシャル傘として大いに活用できる。またオリジナルキャラクターを印刷することによって、観光地の土産品としての活用を図ることができる。本発明は、勿論、これらの利用例に限らず、デザイナーやイラストレータの作品をプリントすることによって、高級感を演出することも可能である。
【産業上の利用可能性】
【００３７】
本発明による晴雨兼用傘は、通常は婦人用の日傘として使用されるだけに限らず、降雨時の雨傘、折り畳み傘として好適である。さらに、カバーの表面にオリジナルキャラクターやロゴなどを印刷して土産品として、また野外イベント時のオフィシャル傘として活用するほか、骨とカバーとを分離し、保育所や幼稚園において、園児がカバー表面に自由な絵や文字を書きこむことができるオリジナル傘のキットとして販売するなど各種の展開が可能である。
【符号の説明】
【００３８】
１  傘  ２  カバー  ３  中棒  ４  親骨  ５  受骨  ６  上ハジキ  ７  下ハジキ  ８  露先  ９  手元  １０  石突  １１  明色のシート  １２  暗色のシート  １３  着色シート
【図１】
2011056072.tif 000003
【図２】
2011056072.tif 000004
【図３】
2011056072.tif 000005
【図４】
2011056072.tif 000006